(57)【要約】【課題】ユーザの好みに応じた番組の再生を行うことができる受信記録再生装置等を提供する。【解決手段】放送情報提供装置４３は、受信した放送番組を解析、分類することで番組に関するタイムテーブルを作成する。放送情報提供装置４３は、作成したタイムテーブルをインターネット等の通信網を介して番組の視聴者の受信記録再生装置２４に提供する。受信記録再生装置２４では、タイムテーブルを参照して視聴者の希望する再生のモードに合致した番組の編集を行い、再生処理を行う。また、再生だけでなく、タイムテーブルを参照して、視聴者にとっての不要な放送コンテンツの消去や、番組を他の記録媒体に記録するダビングを行うこともできる。なお、タイムテーブルだけではなく、受信記録再生装置２４に再生、消去、ダビング等の所定の処理を行なわせるプログラムを提供するようにすることもできる。【選択図】  図１
2006050235.tif 000002
【特許請求の範囲】
【請求項１】
放送番組を受信する受信手段と、
受信した上記放送番組を規定された時間間隔で区切られた情報群として記録する記録手段と、
特定の放送情報提供装置と通信を行い、上記特定の放送情報提供装置から上記放送番組に関する情報を取得する取得手段と、
上記放送番組に関する情報に基づいて、上記記録された放送番組から必要な情報を選択して再生を行う編集再生手段を備えた受信記録再生装置。
【請求項２】
上記放送情報提供装置には、時計手段が備えられ、上記時計手段と同期した時計手段がさらに備えられた請求項１に記載の受信記録再生装置。
【請求項３】
上記放送番組に関する情報に基づいて、上記記録された放送番組から必要な情報を選択して、上記選択した情報の消去を行う消去手段および上記選択した情報を他の記録媒体に記録する編集記録手段をさらに備える請求項１に記載の受信記録再生装置。
【請求項４】
放送番組を受信する受信手段と、
受信した上記放送番組を規定された時間間隔で区切られた情報群として記録する手段と、
特定の放送情報提供装置と通信を行い、上記特定の放送情報提供装置から上記放送番組に関する情報および所定の情報を取得する取得手段と、
上記番組に関する情報および所定の情報に基づいて、上記記録された放送番組の処理を制御する制御手段を備えた受信記録再生装置。
【請求項５】
上記放送情報提供装置には、時計手段が備えられ、上記時計手段と同期した時計手段がさらに備えられた請求項４に記載の受信記録再生装置。
【請求項６】
上記所定の情報は、再生手順情報、情報消去手順情報、編集手順情報の少なくとも一つである請求項４に記載の受信記録再生装置。
【請求項７】
放送番組を受信する受信手段と、
上記放送番組を構成する放送コンテンツを解析、分類し情報群として記録する記録手段と、
特定の受信記録再生装置と通信を行い、上記特定の受信記録再生装置に対し特定の番組に関する情報を提供する放送情報提供装置。
【請求項８】
上記受信記録再生装置には、時計手段が備えられ、上記時計手段と同期した時計手段がさらに備えられた請求項７に記載の放送情報提供装置。
【請求項９】
放送番組を受信する受信手段と、
上記放送番組を構成する放送コンテンツを解析、分類し情報群として記録する記録手段と、
特定の受信記録再生装置と通信を行い、上記特定の受信記録再生装置に対し特定の番組に関する情報および所定の情報を提供する放送情報提供装置。
【請求項１０】
上記受信記録再生装置には、時計手段が備えられ、上記時計手段と同期した時計手段がさらに備えられた請求項９に記載の放送情報提供装置。
【請求項１１】
上記所定の情報は、再生手順情報、情報消去手順情報、編集手順情報の少なくとも一つである請求項９に記載の放送情報提供装置。
【発明の詳細な説明】
【技術分野】
【０００１】
この発明は、ユーザの好みに応じた再生等を行うことができる受信記録再生装置および放送番組に関する所定の情報を提供する放送情報提供装置に関する。
【背景技術】
【０００２】
近年、記憶媒体、例えばＨＤＤ（Hard Disk Drive）の大容量化が進み、記録容量が数百ギガバイトに上るものも登場している。こうした中、ユーザは、大容量のＨＤＤのメリットを生かし、多数の番組を記録（蓄積受信）し、記録した番組の中から所望の番組を選択して視聴することが行われている。
【０００３】
ところで、ＨＤＤに記録した複数の番組からユーザの所望する番組を選択し再生したとき、再生されるドラマの映像のコンテンツは、必ずしも本編のみによって構成されているわけではない。例えば、再生される番組がドラマであれば、本編の他に主題歌やエンディングテーマ曲（登場人物紹介）、コマーシャル（以下、ＣＭと表記する）、次回予告など様々なコンテンツによって構成されている。
【０００４】
下記特許文献１には、番組の内容を示すコンテンツ情報等を伝送媒体を介して伝送する発明が開示されている。
【０００５】
【特許文献１】特開２００３−０６１０３６号公報
【発明の開示】
【発明が解決しようとする課題】
【０００６】
ユーザがある所望の番組を視聴する場合に、必ずしも上述したようなある一つの番組を構成する全てのコンテンツの視聴を希望するとは限らない。例えばドラマの登場人物を紹介するコンテンツや、ＣＭの視聴を希望しない場合がある。このような場合に、ユーザは、操作ボタンやリモートコントローラ（リモコン）などでＨＤＤの早送り機能を実行し、不要な場面を飛ばしたりするが、早送りしすぎてしまった場合は戻す処理を行わなければならないなど操作に手間がかかってしまう。
【０００７】
また、最近の番組の中にはＣＭが間に入り、そのＣＭが終わったあとに、ＣＭ前に放送していた内容を繰り返して放送するものがある。さらに、連続ドラマなどを毎日観ている場合、番組の冒頭に前日の内容を要約して繰り返し放送する場合がある。このような場合には、視聴者は同じ内容（重複シーン）を再び視聴することになり時間を無駄にしていると感じている。
【０００８】
このようなユーザのニーズに対して、例えばＣＭ自動カット機能などを持つ記録再生装置がある。ＣＭ自動カット機能とは、例えばバラエティ番組などで、番組放送ではモノラル放送で送られ、ＣＭはステレオ放送で送られる場合が多いため、この条件を利用して放送情報のステレオ信号とモノラル信号の切り替わりを検知することによりＣＭ放送か番組放送かを区別し、ＣＭ放送だけをカットする機能である。しかし、音楽番組などステレオ放送で送信される音楽番組や、ＣＭでもモノラル放送として扱われるものもあり、信号の切り換わりを誤検出してしまうおそれがある。
【０００９】
また、別の機能としてＣＭスキップ機能がある。この機能は、例えばリモコンに設けられたＣＭスキップボタンを押すことで、表示する映像を例えば３０秒間先の映像に進めることができる機能である。２分間のＣＭであれば、４回ボタンを押すことで、ＣＭをスキップさせることが可能である。しかし、この機能を実行させるために、視聴者は常にリモコンを操作できる位置においておく必要がある。リモコンを常に一定の位置に置くことは少なく、ユーザがリモコンを置いた位置を忘れて探すようなこともしばしばある。また、ＣＭの放送時間は番組によって異なるため、ＣＭかどうかを確認しながらスキップボタンを押す必要があり、タイミングを間違えてしまうとＣＭ以外の映像の一部まで進めてしまうおそれもあった。
【００１０】
従って、この発明の目的は、番組の視聴に対する視聴者の多様な要望を実現できる受信記録再生装置および番組に関する所定の情報等を作成し、提供する放送情報提供装置を提供することにある。
【課題を解決するための手段】
【００１１】
上述した課題を解決するために、請求項１に係る発明は、放送番組を受信する受信手段と、受信した放送番組を規定された時間間隔で区切られた情報群として記録する記録手段と、特定の放送情報提供装置と通信を行い、特定の放送情報提供装置から放送番組に関する情報を取得する取得手段と、放送番組に関する情報に基づいて、記録された放送番組から必要な情報を選択して再生を行う編集再生手段を備えた受信記録再生装置である。
【００１２】
請求項４に係る発明は、放送番組を受信する受信手段と、受信した放送番組を規定された時間間隔で区切られた情報群として記録する手段と、特定の放送情報提供装置と通信を行い、特定の放送情報提供装置から放送番組に関する情報および所定の情報を取得する取得手段と、番組に関する情報および所定の情報に基づいて、記録された放送番組の処理を制御する制御手段を備えた受信記録再生装置である。
【００１３】
請求項７に係る発明は、放送番組を受信する受信手段と、放送番組を構成する放送コンテンツを解析、分類し情報群として記録する記録手段と、特定の受信記録再生装置と通信を行い、特定の受信記録再生装置に対し通信手段を介して特定の番組に関する情報を提供する放送情報提供装置である。
【００１４】
請求項９に係る発明は、放送番組を受信する受信手段と、放送番組を構成する放送コンテンツを解析、分類し情報群として記録する記録手段と、特定の受信記録再生装置と通信を行い、特定の受信記録再生装置に対し特定の番組に関する情報および所定の情報を提供する放送情報提供装置である。
【発明の効果】
【００１５】
この発明によれば、記録された放送コンテンツを視聴者が再生して視聴する際、自動で不要な場面がスキップされるため、手動で早送り操作を行う必要を無くすことができる。また、視聴時間の短縮を実現することができる。
【００１６】
この発明によれば、スキップされる内容は、ＣＭだけではなく、オープニングテーマや重複する映像、次回予告など多種類に及ぶため、視聴者のニーズに対応した放送コンテンツの選択や抜粋を行うことができる。
【００１７】
この発明によれば、放送コンテンツの内容を確認して番組に関する情報を作成するため、音声のみによるＣＭ判別などと異なり、誤判断や誤検出をなくすことができる。
【００１８】
この発明によれば、手動または自動によって、記録されたコンテンツから不要な部分を消去して再記録することができるため、記録媒体の記録容量の効率的な利用を図ることができる。
【発明を実施するための最良の形態】
【００１９】
以下、図面を参照しながらこの発明の一実施形態について説明する。図１は、この発明の一実施形態によるシステム全体の構成１を示す。はじめに受信記録再生装置２４について説明する。参照符号１１および１２でそれぞれ示す放送局Ａ、放送局Ｂで製作された放送番組は、放送波１３を介して放送、発信されている。この一実施形態では、放送形態を地上波アナログ放送（テレビジョン放送）として説明するが、他の放送形態であるラジオ、衛星放送、ディジタル放送、インターネット配信等に対してもこの発明を適用できる。また、不特定多数の視聴者を対象とする放送のみならず、放送局と契約した者のみが視聴できる放送に対してもこの発明を適用することができる。
【００２０】
参照符号２１は、受信記録再生装置２４が設置された場所、例えばテレビジョン放送の視聴者宅を示す。受信記録再生装置２４は受信機能を備え、アンテナ２２を介して、放送波１３を受信することができる。また、受信記録再生装置２４は、記録再生機能を有し、視聴者により選択された放送番組を内蔵されているＨＤＤや記録媒体（ＶＨＳ、ＤＶＤ（Digital Versatile Disc）等）に記録することができる。
【００２１】
放送番組の記録は、放送番組を構成する放送コンテンツ（主情報）と放送番組を放送する放送局および放送時間（副情報）が記録される。放送番組の記録は、規定された時間間隔（例えば５秒間）で区切られた情報群として記録される。
【００２２】
さらに、受信記録再生装置２４は、通信機能を有する。受信記録再生装置２４を回線接続装置２５と接続することによりインターネット３１に接続することができ、後述する情報提供装置４３と情報の送受信を行うことができる。なお、回線接続装置２５は受信記録再生装置２４に内蔵される構成としてもよい。
【００２３】
受信記録再生装置２４に記録された映像は、表示装置２３（例えばテレビ）と接続することにより、再生を行うことができる。
【００２４】
なお、受信記録再生装置２４は、放送受信機能や、通信機能をもたなくてもよい。すなわち、放送受信機能を有するテレビやインターネット３１と接続できるパーソナルコンピューター（ＰＣ）（図示しない）を受信記録再生装置２４と接続することにより、受信記録再生装置２４は放送コンテンツやネットワークを介して配信される情報を取得することができる。
【００２５】
図２はこの一実施形態における受信記録再生装置２４の構成を示す。チューナまたは入力端子１０１に入力された信号は、映像信号とオーディオ信号に分離され、それぞれ映像信号処理部１０２とオーディオ信号処理部１０３に供給される。映像信号処理部１０２では、Ｙ（輝度信号）／Ｃ（色信号）分離や解像度を改善する等の信号処理がされる。また、オーディオ信号処理部１０３では、Ａ／Ｄ（Analog to Digital）変換、音声信号の振幅や周波数成分を抽出する等の信号処理が施される。
【００２６】
映像信号処理部１０２およびオーディオ信号処理部１０３の出力がエンコーダ（Encoder）１０４に供給される。エンコーダ１０４では、例えばＭＰＥＧ（Moving Picture Coding Experts Group）２のディジタル信号（ＭＰＥＧストリーム）等の信号に変換される。エンコーダ１０４の出力がストリームプロセッサ１０５に供給される。
【００２７】
ストリームプロセッサ１０５では、エンコーダ１０４から出力されたＭＰＥＧストリームがＨＤＤ１０６やＤＶＤ−Ｒ（Recordable）１０７への記録に対応したストリームに変換される。変換されたストリームが、ＨＤＤ１０６やＤＶＤ−Ｒ１０７等の記録媒体に記録される。
【００２８】
記録データの再生時は、ＨＤＤ１０６やドライブ（図示しない）によりＤＶＤ−Ｒ１０７から読み出された信号がデコーダ１０８に供給され復号処理が行われる。デコーダ１０８からの出力のうち、映像信号が映像信号処理部１０２に、オーディオ信号がオーディオ信号処理部１０３に供給される。それぞれの信号処理部において、例えばＤ／Ａ変換（Digital to Analog）などの信号処理が施された後に、映像信号およびオーディオ信号が出力される。
【００２９】
受信記録再生装置２４には、さらに自動較正時計１２１が備えられる。自働較正時計１２１は、例えば電波時計のように標準時に関する時間情報がのせられた標準電波を受信し、時刻信号の増幅や解読等を行い、正確な時刻を認識するようにされている。また、受信記録再生装置２４は回線接続装置２５を介してインターネットや電話回線と接続されているため、インターネット３１上のタイムサーバ（図１における参照符号３２）からの時刻情報をもとに時刻を較正し、認識するようにしてもよい。さらに、図示しないが、人工衛星からのナビゲーションシステムを利用して正確な時刻を認識することもできる。
【００３０】
また、受信記録再生装置２４には、各部の動作を制御し、所定の処理を実行させるＣＰＵ（Central Processing Unit）１２３や、ＳＤＲＡＭ（Synchronous Dynamic Random Access Memory）１２４、ＳＲＡＭ（Static RAM）１２５、フラッシュメモリ１２６などの記憶部や発振器１２７等が備えられる。
【００３１】
次に、放送情報提供装置４３について図１を再び用いて説明する。放送情報提供装置４３は、番組に関する所定の情報を作成し、受信記録再生装置２４に対して提供する。通常は、放送情報提供装置４３は特定の事業者（会社）により用いられる。なお、この一実施形態では、放送情報提供装置４３を用いて番組に関する情報を作成するものを情報提供者４１と称する。
【００３２】
放送情報提供装置４３は、放送受信機能を有する。アンテナ４２を介して、放送が受信される。放送情報提供装置４３は、受信した放送番組を、例えば番組、重複シーン、ＣＭ、予告などの放送コンテンツごとに規定された時間間隔で解析および分類し、情報群として蓄える。解析および分類は、人間が放送情報提供装置４３により受信された放送内容を確認し、解析および分類を行う方法と、アルゴリズムを用いて行う方法がある。アルゴリズムを用いた例については後述する。
【００３３】
放送情報提供装置４３は回線接続装置４４を介してインターネット３１と接続できるため、放送情報提供装置４３により作成した番組に関する情報をインターネット３１上に提供することができる。また、特定の者からのアクセスを受けて、作成した情報の要求を受けることもできる。なお、受信機能や通信機能は受信記録再生装置２４と同様に持つ必要はなく、他の受信装置やＰＣ（図示しない）と放送情報提供装置４３を接続する構成としてもよい。また、回線接続装置４４は放送情報提供装置４３に内蔵される構成としてもよい。
【００３４】
図３は、この発明の一実施形態における放送情報提供装置４３の構成を示す。チューナまたは入力端子２０１に入力された信号は、映像信号とオーディオ信号に分離され、それぞれ映像信号処理部２０２とオーディオ信号処理部２０３に供給される。映像信号処理部２０２では例えばＹ／Ｃ分離や解像度の改善などの信号処理が施され、オーディオ信号処理部２０３ではＡ／Ｄ変換、音声信号の振幅や周波数成分を抽出する等の処理が行われる。映像信号処理部２０２およびオーディオ信号処理部２０３の出力がシーンセパレータ２０４に入力される。
【００３５】
上述したアルゴリズムは、シーンセパレータ２０４にて実行される。すなわち、シーンセパレータ２０４に入力される信号の情報を用いて番組における場面の切り換わりを検出する。アルゴリズムの一例を示すと、例えば映像信号であれば輝度の切り換わりや色情報のヒストグラム、またオーディオ信号であれば、信号の強弱や周波数成分の違い等から場面の切り換わりを検出する。また、ある場面において映像と音楽が同時に流れている場合は、映像と音楽の分離なども行われる。場面の切り換わりを検出した場合には、場面切り換わり検出信号を挿入する。
【００３６】
シーンセパレータ２０４の出力はデータコンバータ２０５でデジタル化され、デジタル化された映像およびオーディオ信号は、場面切り換わり検出信号、タイムスタンプ、受信チャンネルの情報と共にデータベース化される。従って、場面切り換わり信号が検出された場合に、データベース２１３に問い合わせを行い、過去のデータと映像およびオーディオ信号との比較を行い、重複シーン等を検出することができる。
【００３７】
図４は、放送情報提供装置４３により解析および分類された番組の主情報を示す。解析および分類された番組は１３：００から１０分間放映される番組の例である。場面の切り換わりが判別され、放送コンテンツの内容が判別されている。なお、上述したアルゴリズムは一例であり、任意に設定することができ、またアルゴリズムを用いて解析および分析を行った番組データを人間により確認することで、情報の信頼性を向上させることができる。
【００３８】
放送情報提供装置４３では、解析および分類された番組の主情報をもとに番組に関するタイムテーブルを作成する。作成されたタイムテーブルを通信網を介して、特定の受信記録再生装置に提供する。
【００３９】
図５はこの一実施形態におけるタイムテーブル５１を示す。タイムテーブル５１には、例えば「時間」、「内容コード」、「内容詳細」が記載される。「時間」は番組の始まりからの経過時間、「内容コード」は内容毎に付加されたコード、「内容詳細」はオープニング、ＣＭ，本編などの放送コンテンツの内容を示す。
【００４０】
タイムテーブル５１に示すように、１３：００の番組開始（０：００）から１分半（１：３０）の９０秒間はオープニングテーマ、その後開始から２分後（２：００）までの３０秒間はＣＭのように時間と内容の情報が記載される。また、ＣＭに対しては「００」、オープニングテーマに対しては「０１」、本編（リピート部分）には「０２」、本編には「０３」、次回予告には「０４」の内容コードがそれぞれ割り当てられている。このようにして、放送情報提供装置４３において番組に関する情報（タイムテーブル）が作成される。
【００４１】
再び、図３を用いて放送情報提供装置４３について説明する。放送情報提供装置４３は、回線接続装置４４を介してネットワークや電話回線と接続ができる。回線接続装置４４は、放送情報提供装置４３に内蔵される構成としてもよい。
【００４２】
また、受信記録再生装置２４と同様に自動較正時計２１１が備えられる。自動較正時計２１１は、標準時刻の時刻情報がのせられる電波や、テレビ放送やラジオ放送で流れる時報を受信したり、インターネット３１上のタイムサーバ３２から時刻情報を得ることで正確な時刻を検知することができる。また、図示しないが、人工衛星からのナビゲーションを利用することもできる。
【００４３】
受信記録再生装置２４と放送情報提供装置４３は、共通の時間軸をキーにして番組に関する情報を参照する。図１０に示すように、受信記録再生装置２４と放送情報提供装置４３にそれぞれ正確な時刻情報を検知できる自動較正時計を備えることで、互いの時刻同期をとることができる。
【００４４】
また、放送情報提供装置４３には、各部の動作を制御するＣＰＵ（Central Processing Unit）２１４やＳＤＲＡＭ（Synchronous Dynamic Random Access Memory）２１５、ＳＲＡＭ（Static RAM）２１６、フラッシュメモリ２１７などの記憶部や発振器２１８が備えられる。
【００４５】
次に、図６を用いて受信記録再生装置２４と放送情報提供装置４３間の通信関係について説明する。視聴者は、受信記録再生装置２４に記録された番組を視聴する際、情報提供者４１に対して番組のタイムテーブルを要求する。タイムテーブルの要求は、受信記録再生装置２４を操作し、インターネット３１を介して放送情報提供装置４３にアクセスすることで行うことができる。
【００４６】
放送情報提供装置４３は、視聴者からのタイムテーブルの要求に対して、データベースから該当する番組を読み出し、該当する番組のタイムテーブルを作成して視聴者に提供する。
【００４７】
番組情報提供装置４３から送信されたタイムテーブルに基づいて、受信記録再生装置２４で所定の処理がなされる。例えば、受信記録再生装置２４が再生モードの場合は、図７に示すような画面（ＧＵＩ（Graphical User Interface）が提示される。視聴者は、「全部を再生」（モード１）、「ＣＭをカットして再生」（モード２）、「ＣＭ＋主題歌をカットして再生」（モード３）、「ＣＭ＋主題歌＋重複部分をカットして再生」（モード４）の各モードを選択することができる。
【００４８】
例えば、ユーザによりモード２が選択された場合には、受信記録再生装置２４により、番組情報提供装置４３から送られたタイムテーブルに基づいて再生が行われる。すなわち、図５を用いて説明したようにこの一実施形態ではＣＭを示す内容コードは「００」であるから、「００」以外の放送コンテンツを特定し再生する処理が行われる。受信記録再生装置２４に記録されている番組は規定された時間間隔で記録されているため、タイムテーブルを参照し放送コンテンツがＣＭである部分を特定し、ＣＭ以外の放送コンテンツを再生することができる。
【００４９】
また、モード４が選択された場合は、本編のみの再生が行われるため、タイムテーブルと規定された時間間隔で記録された情報を参照して内容コード「０２」と「０３」の放送コンテンツの部分を特定し、再生が行われる。一連の処理は、各モード毎の処理手順が予め受信記録再生装置２４に備えられた記憶部に格納されており、選択されたモード毎に処理手順が読み出され、ＣＰＵ１２３により実行される。
【００５０】
また、受信記録再生装置２４がダビング機能を備えるようにしてもよい。ダビング機能とは、タイムテーブルを利用して番組を再記録する機能である。再記録を行う媒体は、受信記録再生装置２４に内蔵されるＨＤＤでもよいし、ＶＨＳやＤＶＤなどの記録媒体でも構わない。
【００５１】
図８はダビングを実行するためのＧＵＩの一例を示す。モード５は規定された時間間隔で記録された情報をそのままダビングするモードである。モード６はＣＭがカットされて番組のダビングが行うモードである。すなわち、タイムテーブルを参照して内容コードが「００」以外の放送コンテンツを特定し、内容コードが「００」以外の放送コンテンツをダビングする処理が行われる。モード７はＣＭと主題歌を流す映像をカットしてダビングするモードである。モード６と同様にタイムテーブルを参照して内容コードが「００」、「０１」以外の放送コンテンツを特定し、ダビングする処理が行われる。モード８はＣＭ，主題歌、重複シーンがカットされてダビングする処理が行われる。タイムテーブルを参照して放送コンテンツを特定してダビングする処理は、モード６およびモード７と同様である。
【００５２】
さらに、受信記録再生装置２４が消去機能を備えてもよい。消去機能は視聴者にとって不要な放送コンテンツを削除する機能である。消去機能を備えることで、受信記録再生装置２４の記録容量の節約を図ることができる。
【００５３】
図９は消去モードを実行するためのＧＵＩを示す。モード９を選択すると記録した番組の全てが削除される。モード１０が選択されると、ＣＭのみの映像データを削除することができる。受信記録再生装置２４が取得したタイムテーブルを参照して、規定された時間間隔で区切られて記録されている放送番組から内容コードが「００」の放送コンテンツを特定し、削除する処理を行う。モード１１は同様にしてＣＭ、主題歌の放送コンテンツを特定し、削除する処理を行う。モード１２では、ＣＭ、主題歌、重複シーンの放送コンテンツを特定して削除する処理を行う。
【００５４】
なお、ダビング機能や消去機能は上述したようにユーザに対してＧＵＩを提示して、ユーザ自身が選択できるようにしてもよいし、同じモードを頻繁に行う場合はそのモードをデフォルトのモードとして設定してもよい。また頻繁に使用されるモードを自動設定にし、自動的にダビング機能や消去機能の処理を行うようにしてもよい。
【００５５】
この発明は、この発明の要旨を逸脱しない範囲内でさまざまな変形や応用が可能であり、上述した一実施形態に限定されることはない。例えば、受信記録再生装置２４は番組情報提供装置４３からタイムテーブルだけでなく、処理手順に関するプログラムを取得できるようにしてもよい。
【００５６】
処理手順に関するプログラムは、再生モード時に各モードに対応した処理を受信記録再生装置２４のＣＰＵ１２３に各モードの処理を実行させるためのプログラムである。例えば、再生モード時におけるモード２ではＣＭをカットして再生するモードであるから、プログラムは受信記録再生装置２４に対して内容コードが「００」以外の放送コンテンツを再生する処理を行わせる。また、プログラムは再生モード時の処理（再生手順情報）に限らず、ダビング機能や消去機能の処理に関する手順情報（編集手順情報、情報消去手順情報）についてのプログラムでもよい。また、全ての手順情報が格納されたプログラムでもよい。
【００５７】
このプログラムは、番組情報提供装置２４から１回だけ取得し、受信記録再生装置２４の記憶部に格納すれば、以後同じプログラムを利用することができる。このように、各処理の手順情報に関するプログラムをタイムテーブルと併せて取得する構成とすることで、受信記録再生装置２４のハードウェアの構成を簡略化することができ、処理効率の向上を図ることができる。
【００５８】
また、プログラムの情報は、再生手順情報、編集手順情報、消去手順情報に限らず、視聴者の要望を実現できる様々な内容のプログラムとすることができる。
【図面の簡単な説明】
【００５９】
【図１】この発明の一実施形態におけるシステム全体を示す略線図である。
【図２】この発明の一実施形態における受信記録再生装置の構成を示すブロック図である。
【図３】この発明の一実施形態における放送情報提供装置の構成を示すブロック図である。
【図４】解析および分類された番組の主情報の例を示す略線図である。
【図５】この発明の一実施形態における番組に関する情報（タイムテーブル）を示す略線図である。
【図６】この発明の一実施形態のシステムにおける受信記録再生装置と放送情報提供装置の関係を示す略線図である。
【図７】この発明の一実施形態における再生モード時のＧＵＩを示す略線図である。
【図８】この発明の一実施形態におけるダビング時のＧＵＩを示す略線図である。
【図９】この発明の一実施形態における消去モード時のＧＵＩを示す略線図である。
【図１０】この発明の一実施形態のシステムにおける受信記録再生装置と放送情報提供装置の時刻同期のとり方を示す略線図である。
【符号の説明】
【００６０】
１１、１２            放送局
２４                  受信記録再生装置
２５、４４            回線接続装置
３２                  タイムサーバ
４３                  放送情報提供装置
【図１】
2006050235.tif 000003
【図２】
2006050235.tif 000004
【図３】
2006050235.tif 000005
【図４】
2006050235.tif 000006
【図５】
2006050235.tif 000007
【図６】
2006050235.tif 000008
【図７】
2006050235.tif 000009
【図８】
2006050235.tif 000010
【図９】
2006050235.tif 000011
【図１０】
2006050235.tif 000012